(57)【特許請求の範囲】
【請求項１】
被観察体を撮像するための撮像素子と、
この撮像素子のリード線を接続する端子パッドを有する回路基板とを備えた内視鏡用撮像素子組付け装置において、
上記回路基板を２分割し、これら２枚の回路基板の合計幅が組付け時の基板全体の幅よりも小さくなるようにして所定幅の幅調整用スペースを設けたことを特徴とする内視鏡用撮像素子組付け装置。
【発明の詳細な説明】
【０００１】
【発明の属する技術分野】
本発明は内視鏡用撮像素子組付け装置、特にセラミックからなる回路基板に撮像素子を組み付ける際に、その全体の幅の寸法を正確かつ容易に合わせるための構成に関する。
【０００２】
【従来の技術】
図５には、内視鏡（電子内視鏡）に配置される撮像素子組付け装置の構成が示されており、図示されるように、撮像素子であるＣＣＤ（Charge Coupled Device）１は、その上面端子部に複数のリード線２を取り付け、その上側にカバーガラス３を接着剤４等で貼着した構成となっている。即ち、この撮像素子組付け部材は、例えば搬送用テープに組み込まれて搬送されるＣＣＤ１の撮像面に導体リード線２及びカバーガラス３を実装し、製造・検査等を流れ作業的に量産するＴＡＢ（Tape Automated Bonding）方式で製作される。
【０００３】
一方、回路基板５はセラミックからなり、この上面に形成された端子パッドＫA に、上記ＣＣＤ１のリード線２が接続される。また、この回路基板５には、端子パッドＫA に図示していないプリント配線によって接続される端子パッドＫB が形成されており、このパッドＫB には、ＣＣＤ１の駆動及びビデオ信号の伝送を行うための信号線が接続される。
【０００４】
図６には、撮像素子の取付け形式が異なる別のタイプの構成が示されており、この例の回路基板６は、ＣＣＤ１の横方向に長く形成したものである。この回路基板６にも、リード線２を接続するための端子パッドＫC が設けられると共に、信号線を接続する端子パッドＫD がＣＣＤ１の例えば右端側に配置される。このようなＣＣＤ１の取付け構造は、直視型、側視型の内視鏡、或いはプリズムを介して配置する等の各種の構造によって相違し、様々な構造が存在する。
【０００５】
【発明が解決しようとする課題】
ところで、上記の回路基板５の材料であるセラミック板は、微細な配線パターンを引くことができ、回路基板５の極小化が可能になるという利点を有する反面、その寸法誤差（公差）が大きく、スコープの細径化が進む今日では、無視できないものとなっている。
【０００６】
即ち、図５の場合は、例えば回路基板５の長手方向が内視鏡の軸方向に配置されることになり、細径化のために、回路基板５の横幅をＣＣＤ１の横幅とほぼ同一の幅Ｄ0 まで小さくしている。しかし、この横幅Ｄ0 の公差は±０．１５ｍｍであり、この公差により回路基板５が鎖線の位置まで大きくなることがあり、この場合には内視鏡の細径化を妨げることになる。
【０００７】
また、この場合、回路基板５を上記の公差分だけ小さした値に設計することも考えられるが、ＣＣＤ１のリード線２の取付け位置や信号線を接続することとの関係により、上述した端子パッドＫA ，ＫB が回路基板５の端部ぎりぎりまで配置されており、この横幅Ｄ0をＣＣＤ１の幅以下にするのは好ましくない。
また、図６に示す構成では、回路基板６の上下端側に端子パッドＫC が存在することから、これ以上に回路基板６の縦幅Ｌ0 を小さくすることはできない。
【０００８】
本発明は上記問題点に鑑みてなされたものであり、その目的は、回路基板を製作する際の寸法公差が大きくなる場合でも、その公差を吸収して正確な寸法に設定し、内視鏡の細径化等を妨げることのない内視鏡用撮像素子組付け装置を提供することにある。
【０００９】
【課題を解決するための手段】
上記目的を達成するために、請求項１に係る内視鏡用撮像素子組付け装置は、被観察体を撮像するための撮像素子と、この撮像素子のリード線を接続する端子パッドを有する回路基板とを備えた内視鏡用撮像素子組付け装置において、上記回路基板を２分割し、これら２枚の回路基板の合計幅が組付け時の基板全体の幅よりも小さくなるようにして所定幅の幅調整用スペースを設けたことを特徴とする。
【００１０】
上記の構成によれば、調整用スペースを用いて２枚の回路基板を設計寸法に正確に合わせることができ、セラミック回路基板に比較的大きな公差（又は誤差）があったとしても、組付け時には設計通りの寸法を出すことが可能となる。
【００１１】
【発明の実施の形態】
図１及び図２には、実施形態の第１例に係る内視鏡用撮像素子組付け装置が示されており、図示のＣＣＤ１、リード線２及びカバーガラス３は、図４等と同様に、ＴＡＢ（Tape Automated Bonding）方式により製作されたものである。このＣＣＤ１とカバーガラス３は周辺部の接着剤４によって接着されており、ＣＣＤ１の撮像面側はカバーガラス３との間で気密状態が維持されている。そして、このＣＣＤ１の取付け回路基板として、左右に分割された２枚の回路基板１１，１２が設けられ、これらの基板１１，１２の上面には、ＣＣＤ１のリード線２を接続するための端子パッドＫE と、このパッドＫE に不図示の配線パターンで接続され、信号線を接続するための端子パッドＫF が形成される。
【００１２】
そして、上記回路基板１１と１２の間には横幅を調整するための調整用スペースＳ1 （幅ｄ1 ）が設定される。即ち、回路基板１１の横幅Ｄ1 ともう一方の回路基板１２の横幅Ｄ2 は、ＣＣＤ１を取り付ける回路基板全体の設計横幅がＤ0 であるとすると、Ｄ1 ＋Ｄ2 ＋ｄ1 ＝Ｄ0 となるように、幅ｄ1 のスペースＳ1 が設けられる。この調整用スペース幅ｄ1 は、例えば公差が±０．１５ｍｍである場合、０．３ｍｍ以上に設定しており、これにより公差分の幅が調整できることになる。また、上記端子パッドＫE は回路基板１１，１２を横方向に動かした場合でもＣＣＤ１のリード線２との接続が可能なように、その横幅Ｄ3 を従来のものより少し広くしている。
【００１３】
第１例は以上の構成からなり、上記の２分割された回路基板１１と回路基板１２はそれらの間に設けられた調整用スペースＳ1 の幅ｄ1 の範囲で横方向へずらすことができ、それぞれの回路基板１１，１２に±０．１５ｍｍの公差があったとしても、全体の幅を設計値のＤ0 に正確に合せることが可能となる。
【００１４】
図３には、撮像素子の取付け形式が異なる上記図６のタイプに対応した第２例の構成が示されており、この場合は、ＣＣＤ１の取付け回路基板として、上下に分割された２枚の回路基板１５，１６が設けられ、これらの基板１５，１６の上面に、ＣＣＤ１のリード線２を接続する端子パッドＫG と、信号線を接続する端子パッドＫH が形成される。
【００１５】
そして、上記回路基板１５の縦幅Ｌ1 ともう一方の回路基板１６の縦幅Ｌ2 が、ＣＣＤ１を取り付ける回路基板全体の設計縦幅をＬ0 とすると、Ｌ1 ＋Ｌ2 ＋ｌ1 ＝Ｌ0 となるように設定され、この幅ｌ1 のスペースＳ2 が両基板１５，１６間に設定される。この調整用スペース幅ｌ1 も、例えば公差が±０．１５ｍｍである場合、０．３ｍｍ以上に設定しており、これにより公差分の幅が調整可能となる。また、下側の端子パッドＫG は回路基板１５，１６を縦方向に動かした場合でもＣＣＤ１のリード線２との接続が十分に可能なように、その縦幅Ｌ3 を従来のものより少し広くする。
【００１６】
このような第２例によれば、上下に２分割された回路基板１５と回路基板１６はそれらの間に設けられた調整用スペースＳ2 の幅ｌ1 の範囲だけ上下方向へずらすことができ、それぞれの基板１５，１６に±０．１５ｍｍの公差があったとしても、全体の縦幅を設計値のＬ0 に正確に合せることが可能となる。
【００１７】
図４には、２枚の回路基板の分割の仕方の異なる第３例の構成が示されており、この第３例は、上下の端子パッドの配置を考慮した分割線で分割したものである。即ち、図４に示されるように、この回路基板は段付き形状線で左右に２分割した回路基板１９と２０からなり、これらの基板１９，２０の上面には、ＣＣＤ１のリード線２を接続する端子パッドＫＩ と、信号線を接続する端子パッドＫＪ が形成されるが、これらの端子パッドＫＩ ，ＫＪ の配置を考慮し、これらの複数のパッドＫＩ ，ＫＪ のそれぞれを分割するために最適な位置（上側ＫＩ 、下側ＫＩ ，ＫＪ において分割の最適位置）となる図の段付き形状線で幅ｄ2 のスペースＳ3 を設けたものである。
【００１８】
そして、この場合も、第１例と同様に、Ｄ4 ＋Ｄ5 ＋ｄ2 ＝Ｄ0 となり、このスペースＳ3 の幅ｄ2 の範囲で横幅を調整することができる。また、この第３例では、段差部を当接することにより、２枚の回路基板１９，２０の縦方向の位置合せができる利点がある。なお、この第３例の構成は上記第２例にも同様に適用することができる。
【００１９】
【発明の効果】
以上説明したように、本発明によれば、回路基板を２分割し、これら２枚の回路基板の合計幅が組付け時の基板全体の幅よりも小さくなるように所定幅の幅調整用スペースを設けたので、回路基板を製作する際の寸法公差（又は誤差）が大きくなる場合でも、その公差を吸収して正確な寸法に設定することができ、内視鏡の細径化等を妨げることもないという利点がある。
【図面の簡単な説明】
【図１】本発明の実施形態の第１例に係る内視鏡用撮像素子組付け装置の構成を示し、図（Ａ）は正面図、図（Ｂ）は左側面図、図（Ｃ）は下側側面図である。
【図２】図１の撮像素子組付け装置の斜視図である。
【図３】実施形態の第２例の撮像素子組付け装置の構成を示し、図（Ａ）は正面図、図（Ｂ）は左側面図、図（Ｃ）は下側側面図である。
【図４】実施形態の第３例の撮像素子組付け装置の構成を示す正面図である。
【図５】従来の撮像素子組付け装置の構成を示し、図（Ａ）は正面図、図（Ｂ）は左側面図である。
【図６】従来の撮像素子組付け装置の他の構成を示す正面図である。
【符号の説明】
１  …  ＣＣＤ、
２  …  リード線、
５，６  …  回路基板、
１１，１２，１５，１６，１９，２０  …  分割回路基板、
Ｓ1 ，Ｓ2 ，Ｓ3   …  調整用スペース、
ＫA 〜ＫJ   …  端子パッド。
【図１】
0003734389.tif 000002
【図２】
0003734389.tif 000003
【図３】
0003734389.tif 000004
【図４】
0003734389.tif 000005
【図５】
0003734389.tif 000006
【図６】
0003734389.tif 000007